(57)【要約】      （修正有）【課題】建物の床部に溜まった埃を集塵可能とする空調装置の設置構造を提供する。【解決手段】空調装置３０は、建物１０の屋内に設けられ、開閉扉２４を介して屋内側の空間と連通された収納室１６の内部に配置されている。また、この収納室１６には、開閉扉２４の下端と床２６との隙間に給気口２８が設けられている。空調装置３０は、空調空気を生成すると共に、屋内の空気を内部に取り入れる吸込口３２と空調空気が送風される吹出口３４を有している。ここで、給気口２８には、給気口２８を通過する埃を集塵可能な集塵フィルタ５０を含む集塵部４２が配置されている。【選択図】図１
2020159650.tif 000002
【特許請求の範囲】
【請求項１】
建物の屋内に設けられ、開閉扉を介して屋内側の空間と連通されると共に、前記開閉扉の下端と床面との間に隙間が設けられた収納室と、
前記収納室の内部に配置され、空調空気を生成すると共に、屋内の空気を内部に取り入れる吸込口と前記空調空気が送風される吹出口を有する空調装置と、
前記開閉扉と前記床面との間に設けられた前記隙間に配設されると共に、前記収納室の内部に前記屋内側の空間の空気を取り入れる給気口と、
前記給気口に配置され、前記給気口を通過する埃を集塵可能な集塵フィルタを含む集塵部と、
を備える空調装置の設置構造。
【請求項２】
前記集塵フィルタは、前記収納室の内部に配置されると共に前記給気口側に開口された筐体状に形成されている、
請求項１に記載の空調装置の設置構造。
【請求項３】
前記集塵フィルタは、前記給気口側から前記収納室の奥側へ向かって平面視で先細りした筐体状に形成されている、
請求項２に記載の空調装置の設置構造。
【請求項４】
前記集塵部は、筒状に形成されて軸方向の一端が前記給気口に接続されると共に、軸方向の他端が前記収納室の内部に配置された前記集塵フィルタに接続されている筒状部材を含む構成とされている、
請求項１〜請求項３の何れか１項に記載の空調装置の設置構造。
【請求項５】
前記筒状部材は、前記一端側から前記他端側に向かって平面視で先細りした導入部を含んで構成されている、
請求項４に記載の空調装置の設置構造。
【発明の詳細な説明】
【技術分野】
【０００１】
本発明は、空調装置の設置構造に関する。
【背景技術】
【０００２】
特許文献１には、建物内の収納室（空調装置収納室）に空調装置が設置された構造が開示されている。当該文献に記載された空調装置では、空調エリア（居室）の空気が吸込口（吸込部）から取り入れられ、内部で生成された空調空気が吹出口（吹出部）から送風されている。また、空調エリアの空気は、天井部に設けられた給気口（排気口）から収納室と連通された天井裏空間を通って、空調装置の吸込口に取り入れられている。
【先行技術文献】
【特許文献】
【０００３】
【特許文献１】特開２０１３−２１３６６５号公報
【０００４】
しかしながら、上記先行技術では、給気口が空調エリアの天井部に設けられているため、空調装置に取り入れられる空気は、主として天井部に近い空間のものとなる。従って、床部に載積された埃を集塵することができず、床部に埃が溜まりやすくなる。よって、上記先行技術は、この点において改善の余地がある。
【発明の概要】
【発明が解決しようとする課題】
【０００５】
本発明は上記事実を考慮し、建物の床部に溜まった埃を集塵可能とする空調装置の設置構造を得ることが目的である。
【課題を解決するための手段】
【０００６】
第１の態様に係る空調装置の設置構造は、建物の屋内に設けられ、開閉扉を介して屋内側の空間と連通されると共に、前記開閉扉の下端と床面との間に隙間が設けられた収納室と、前記収納室の内部に配置され、空調空気を生成すると共に、屋内の空気を内部に取り入れる吸込口と前記空調空気が送風される吹出口を有する空調装置と、前記開閉扉と前記床面との間に設けられた前記隙間に配設されると共に、前記収納室の内部に前記屋内側の空間の空気を取り入れる給気口と、前記給気口に配置され、前記給気口を通過する埃を集塵可能な集塵フィルタを含む集塵部と、を備えている。
【０００７】
第１の態様に係る空調装置の設置構造では、給気口が収納室の開閉扉と床面との隙間に設けられているため、床部に近い空間の空気を取り入れることができ、床部に載積する大きな埃を空気と一緒に給気口から取り入れることができる。更に、給気口には集塵部が配置されているため、給気口から収納室の内部に侵入した埃を集塵フィルタによって集めることができる。
【０００８】
第２の態様に係る空調装置の設置構造は、第１の態様に記載の構成において、前記集塵フィルタは、前記収納室の内部に配置されると共に前記給気口側に開口された筐体状に形成されている。
【０００９】
第２の態様に係る空調装置の設置構造では、集塵フィルタが筐体状に形成されているため、例えば板状のフィルタを設ける場合と比べて集塵フィルタに奥行が生じる。これにより、集塵フィルタの容積が増し、より多くの埃を内部に集めることができる。
【００１０】
第３の態様に係る空調装置の設置構造は、第２の態様に記載の構成において、前記集塵フィルタは、前記給気口側から前記収納室の奥側へ向かって平面視で先細りした筐体状に形成されている。
【００１１】
第３の態様に係る空調装置の設置構造では、集塵フィルタの形状が、給気口側から収納室の奥側へ向かって平面視で先細りした筐体状に形成されている。このため、集塵フィルタの内部に集められた埃が、先細りした奥側部分に集められる。これにより、メンテナンス時に集塵フィルタ内の埃を取り出しやすい。
【００１２】
第４の態様に係る空調装置の設置構造は、第１の態様〜第３の態様の何れか１態様に記載の構成において、前記集塵部は、筒状に形成されて軸方向の一端が前記給気口に接続されると共に、軸方向の他端が前記収納室の内部に配置された前記集塵フィルタに接続されている筒状部材を含む構成とされている。
【００１３】
第４の態様に係る空調装置の設置構造では、給気口と集塵フィルタの間に筒状の筒状部材が配置された構成となっている。つまり、集塵フィルタが給気口から奥まった位置に配置されるため、収納室の外側から給気口を通して見えにくい位置に埃が集められる。その結果、例えば、給気口に直接集塵フィルタを接続する構成に比べて、収納室の外側から埃が視認され難く、清潔感のある外観を維持することができる。
【００１４】
第５の態様に係る空調装置の設置構造は、第４の態様に記載の構成において、前記筒状部材は、前記一端側から前記他端側に向かって平面視で先細りした導入部を含んで構成されている。
【００１５】
第５の態様に係る空調装置の設置構造では、筒状部材が、給気口に接続された一端側から集塵フィルタに接続された他端側に向かって平面視で先細りした導入部を含んで構成されている。このため、当該導入部により、給気口を通過した屋内の空気の流れが集塵フィルタへ向かって整流される。これにより、埃が効率的に集塵フィルタに集められる。
【発明の効果】
【００１６】
以上説明したように、第１の態様に係る空調装置の設置構造によれば、建物の床部に溜まった埃を集塵することができるという優れた効果を有する。
【００１７】
第２の態様に係る空調装置の設置構造によれば、より多くの埃を集塵フィルタで集めることができるため、清掃頻度を少なくすることができ、メンテナンス性を向上させることができる優れた効果を有する。
【００１８】
第３の態様に係る空調装置の設置構造によれば、集塵フィルタの内部に集められた埃を容易に取り出すことができるため、メンテナンス性を向上させることができるという優れた効果を有する。
【００１９】
第４の態様に係る空調装置の設置構造によれば、集塵部に集められた埃が収納室の外側から視認され難く、清潔感のある外観を維持することができるという優れた効果を有する。
【００２０】
第５の態様に係る空調装置の設置構造によれば、埃を効率的に集塵フィルタに集めることができるという優れた効果を有する。
【図面の簡単な説明】
【００２１】
【図１】第１実施形態に係る空調装置の設置構造が適用された建物を概略的に示す概略側面図である。
【図２】図１に示される収納室を拡大して示す拡大側面図である。
【図３】図１に示す収納室であって、開閉扉が閉鎖された状態を示す外観斜視図である。
【図４】図１に示す集塵部の分解図である。
【図５】図１に示す集塵部の平面図である。
【図６】第２実施形態に係る空調装置の設置構造に適用された集塵部を示す図３に対応する分解図である。
【図７】第２実施形態に係る集塵部を示す側面図である。
【図８】第３実施形態に係る空調装置の設置構造が適用された収納室であって、開閉扉の図示を省略して示す図２に対応する外観斜視図である。
【図９】図８に示す集塵部の斜視図である。
【発明を実施するための形態】
【００２２】
〔第１実施形態〕
以下、図１〜図５を用いて、第１実施形態に係る空調装置３０が設置された収納室１６について説明する。図１には、当該収納室１６が適用された建物１０の部分側面図が示されている。また、図２には、収納室１６の内部を拡大して示す部分拡大側面図が示されている。また、図３には、建物１０の廊下１４から収納室１６を見た斜視図である。なお、図２及び図３では、収納室１６の幅方向を矢印Ｗで示し、収納室１６の奥行方向を矢印Ｄで示している。
【００２３】
（全体構成）
これらの図に示されるように、建物１０は複数階建てとされており、本実施形態の空調装置３０は、建物１０の一階部分１０Ａに設けられた収納室１６の内部に配置されている。建物１０の一階部分１０Ａは、居室１２と、廊下１４と、収納室１６を含んだ間取りとされている。建物１０の一階部分１０Ａでは、居室１２と廊下１４が間仕切壁１８で区画されており、間仕切壁１８に形成された図示しない開口部に扉が取り付けられている。そして、居住者は、この扉を開閉操作することにより居室１２と廊下１４との間を行き来できる構成となっている。
【００２４】
また、廊下１４と収納室１６の間は間仕切壁２０で区画されている。間仕切壁２０には、略矩形状のドア開口部２２が形成されており、このドア開口部２２によって廊下１４と収納室１６が相互に連通されている。また、ドア開口部２２には、開閉可能な両開きの開閉扉２４が取り付けられている。開閉扉２４は、建物上下方向の寸法がドア開口部２２における建物高さ方向の寸法よりも短くなるように設定されている。このため、開閉扉２４の下端と床２６との間には隙間（ドアアンダーカットとも称される。）が設けられており、開閉扉２４を閉じた状態では、ドア開口部２２の下端に正面視で略矩形状をなす給気口２８が形成される構成となっている。この給気口２８には、後述する集塵部４２が設けられている。なお、本実施形態では、廊下１４が、本発明における「建物の屋内側の空間」に相当する。
【００２５】
収納室１６は、間仕切壁２０に沿って形成された矩形筐状の小部屋とされており、内部には空調装置３０が配置されている。空調装置３０は、建物１０に適用された全館空調システムの一部を構成している。全館空調システムとは、空調装置３０によって生成された空調空気を、床下空間１１に配置されたダクトやチャンバ等の通気部材を介して、各居室空間へ供給するシステムである。
【００２６】
図１及び図２に示されるように、空調装置３０の外形は略矩形箱状に形成されており、開閉扉２４と対向する側面部に吸込口３２が設けられている。この吸込口３２にはフィルタ（不図示）が着脱可能に装着されており、吸込口３２を通過する空気に含まれる埃を集塵可能とされている。
【００２７】
また、本実施形態では、空調装置３０の下面に空調空気が送風（供給）される吹出口３４が設けられている。この吹出口３４には、建物上下方向下方側に延びる接続ダクト３６の一端が接続されている。接続ダクト３６の他端は、一階部分１０Ａの床下空間１１に配置された分岐チャンバ３８に接続されている。更に、分岐チャンバ３８には、各居室（居室１２及び廊下１４等）に連通する複数の供給ダクト４０が接続されている。
【００２８】
空調装置３０の内部には、熱交換ユニット３０Ａ、及びファンが設けられた送風ユニット（不図示）が一体に設けられている。熱交換ユニット３０Ａは、建物１０の屋外に配置された室外機（不図示）と冷媒配管（不図示）により接続されている。そして、この冷媒配管を介して空調装置３０との間で冷媒が循環される。
【００２９】
上記構成によれば、空調装置３０内に配置された送風ユニット（不図示）のファンが作動されることにより、廊下１４内の空気が収納室１６の給気口２８を通過して空調装置３０の吸込口３２から吸い込まれる（図２の矢印Ｒ参照）。次いで、空調装置３０の熱交換ユニット３０Ａにおいて、吸込口３２から取り入れられた空気と冷媒との間で熱交換が行われ、空調空気（暖気又は冷気）が生成される。その後、空調空気は、空調装置３０の吹出口３４から接続ダクト３６内に供給され、分岐チャンバ３８、供給ダクト４０を介して建物１０内の各居室に供給される構成となっている。
【００３０】
（本発明の要部）
【００３１】
図３〜図５に示されるように、収納室１６の開閉扉の下方側に設けられた給気口２８には、集塵部４２が設けられている。この集塵部４２は、給気口２８に固定された筒状部材４４と、筒状部材４４に装着された集塵フィルタ５０とを含んで構成されている。筒状部材４４は、収納室１６の奥行方向（図２及び図３の矢印Ｄ方向）を軸方向として配置され、軸方向の一端が給気口２８の周縁部に固定されている。また、収納室１６の内部に配置された筒状部材４４の軸方向の他端には、後述する集塵フィルタ５０が装着されている。
【００３２】
筒状部材４４は、給気口２８側の一端が、角筒状に形成された固定部４６とされている。この固定部４６の幅方向（図３の矢印Ｗ方向参照）の両側面部４６Ａは、給気口２８の左右両端を構成するドア開口部２２の下部かつ幅方向の両側面部に沿って配置される構成となっている。このようにして、給気口２８に対する筒状部材４４の位置決めが固定部４６を介して行われる。また、当該固定部４６の両側面部４６Ａは、ビス等の固定具によってドア開口部２２の下部かつ幅方向の両側面部に固定されている。これにより、給気口２８に筒状部材４４が固定される構成となっている。
【００３３】
上記固定部４６の収納室側の端部には、収納室の奥側に延びる筒状の導入部４８が一体形成されている。導入部４８は固定部４６側（給気口２８側）の一端４８Ａから収納室１６の奥側に配置された他端４８Ｂに向かって幅方向の寸法が徐々に狭められており、平面視台形状をなす先細りした形状とされている。
【００３４】
導入部４８の先細りした他端４８Ｂには、集塵フィルタ５０が装着されている。集塵フィルタ５０は、導入部４８側（給気口２８側）に開口された筐体状に形成されている。より具体的には、集塵フィルタ５０は、平面視で略台形状をなし、給気口２８側の端部から前記収納室の奥側の端部へ向かって平面視で先細りした筐体状に形成されている。この集塵フィルタ５０は、給気口２８側に開口された開口部５２が、導入部４８の他端４８Ｂに固定されている。また、集塵フィルタ５０の各側面部は金属製の金網で形成されている。なお、当該各側面部に通気性のよい不織布が配置される構成としてもよい。これにより、筒状部材４４を通過した廊下１４内の空気が、集塵フィルタ５０を通って収納室１６の内部に吸い込まれる構成とされている。また、この際に、廊下１４の床２６に溜まった埃が、筒状部材４４を通過して集塵フィルタ５０によって集塵される構成になっている。
【００３５】
図示はしないが、導入部４８の他端４８Ｂと集塵フィルタ５０の開口部５２は、開口部５２に設けられた係止部が、導入部４８の他端４８Ｂに設けられた被係止部に係止されることにより固定される。例えば、導入部４８の他端４８Ｂの幅方向の両側にレール状の切り込み部をそれぞれ形成し、一方で、集塵フィルタ５０の開口部５２の幅方向の両端部に設けられた凸部を形成する。そして、導入部４８の切り込み部に凸部を挿入させることにより固定される構成としてもよい。当該構成によれば、集塵フィルタ５０を導入部４８の切り込み部に対してスライドさせて引き上げることにより、集塵フィルタ５０を筒状部材４４から取り外すことができる。このようにして、集塵フィルタ５０が筒状部材４４に着脱可能に取り付けることが可能である。
【００３６】
なお、集塵フィルタ５０の固定方法は、上記に限らず、適宜変更することが可能である。例えば、集塵フィルタ５０の開口部５２に爪状の係止部を形成し、筒状部材４４の他端（他端４８Ｂ）に当該係止部が係止される被係止部を設ける構成としてもよい。
【００３７】
（作用・効果）
次に、本実施形態の作用並びに効果について説明する。
【００３８】
本実施形態では、廊下１４内の空気を収納室１６へ取り込む給気口２８が収納室１６の開閉扉２４と床２６との隙間に設けられている。このため、床２６に近い空間の空気を取り入れることができ、床２６に載積する大きな埃を空気と一緒に給気口２８から取り入れることができる。更に、給気口２８には集塵部４２が配置されているため、給気口２８から収納室１６の内部に侵入した埃を集塵フィルタ５０によって集めることができる。
【００３９】
また、本実施形態では、集塵フィルタ５０が筐体状に形成されているため、例えば板状のフィルタを設ける場合と比べて集塵フィルタに奥行が生じる。これにより、集塵フィルタ５０内の容積及び集塵フィルタ５０の表面積が増し、より多くの埃を内部に集めることができる。
【００４０】
また、本実施形態では、集塵フィルタ５０の形状が、給気口２８側から収納室１６の奥側へ向かって平面視で先細りした筐体状に形成されている。このため、集塵フィルタ５０の内部に集められた埃が、先細りした奥側部分に集められる。これにより、メンテナンス時に集塵フィルタ５０内の埃を取り出しやすい。更に、集塵フィルタ５０が小型化され、軽量化を図ることができる。
【００４１】
更に、本実施形態では、集塵フィルタ５０が集塵部４２から着脱可能に構成されている。このため、廊下１４の床掃除の際や空調装置３０のメンテナンスの際には、収納室１６の開閉扉２４を開けて集塵フィルタ５０を取り外してフィルタの内部から埃を掻き出すことができる。このため、集塵フィルタ５０内に溜まった埃を容易に廃棄することができるため、メンテナンス性に優れる。
【００４２】
また、本実施形態の収納室１６では、給気口２８に接続された筒状の筒状部材４４を介して集塵フィルタ５０が収納室の内部に配置される構成となっている。つまり、集塵フィルタ５０が給気口２８から奥まった位置に配置されるため、収納室１６の外側から給気口２８を通して見えにくい位置に埃が集められる。その結果、例えば、給気口２８に直接集塵フィルタを接続する構成に比べて、収納室１６の外側（廊下１４）から埃が視認され難く、清潔感のある外観を維持することができる。
【００４３】
また、本実施形態では、筒状部材４４が、導入部４８を含んで構成されており、導入部４８は、給気口２８側に配置された一端４８Ａ側から集塵フィルタ５０に接続された他端４８Ｂに向かって平面視で先細りした形状とされている。このため、当該導入部４８により、給気口２８を通過した廊下１４内の空気の流れが集塵フィルタ５０へ向かって整流される。これにより、廊下１４に載積した埃を効率的に集塵フィルタ５０に集めることができる。
【００４４】
また、本実施形態の筒状部材４４では、給気口２８に固定される一端に角筒状をなす固定部４６が形成されている。また、この固定部４６の幅方向の両側面部４６Ａは、筒状部材４４を固定するドア開口部２２の下部かつ幅方向の両側面部に沿って配置されている。これにより、筒状部材４４単独で給気口２８に対して位置決めを行うことができるため、組み付け時の作業性を向上させることができる。
【００４５】
〔第２実施形態〕
以下、図６及び図７を用いて、本発明の第２実施形態について説明する。なお、前述した第１実施形態と同一構成部分については、同一番号を付してその説明を省略する。
【００４６】
これらの図に示されるように、本実施形態では、建物高さ方向を長手方向とする筐体状に形成された集塵フィルタ６２を有する集塵部６０を備える点に特徴がある。
【００４７】
具体的には、集塵フィルタ６２は、平面視で略台形状をなし、長手方向（建物高さ方向）の寸法が筒状部材４４の建物高さ方向の寸法よりも長く設定されている。このため、側面視では、集塵フィルタ６２の上部側が、筒状部材４４の上面から建物上方側へ突出した状態となる。
【００４８】
集塵フィルタ６２の下部には、収納室１６の給気口２８側に開口した下部開口部６４が設けられており、当該下部開口部６４が筒状部材４４の導入部４８の他端４８Ｂに固定されている。この下部開口部６４は、第１実施形態の開口部５２に相当する。
【００４９】
また、集塵フィルタ６２の上部かつ上面には、上部開口部６６が設けられている。これにより、集塵フィルタ６２は、建物上方側に面した上面が開放されている。なお、集塵フィルタ６２の側面部は、第１実施形態の集塵フィルタ５０と同様に、金属製の金網で形成されている。当該構成によれば、筒状部材４４を通過した廊下１４内の空気は、集塵フィルタ６２の側面部を通過して収納室１６の内部に取入れられる流路に加えて、上部開口部６６を通って収納室１６の内部に供給される流路を有することとなる。
【００５０】
（作用・効果）
本実施形態では、集塵フィルタ６２の形状が、建物高さ方向を長手方向とする筐体状に形成されており、その上部が筒状部材４４の上方側に延在している。このため、集塵フィルタ６２内の容積が増し、より多くの埃を内部に集めることができる。また、集塵フィルタ６２の上面に形成された上部開口部６６が集塵フィルタ６２を通過する空気の流路となるため、収納室１６に供給される風量が、集塵フィルタ６２に集められた埃により低下することが抑制される。その結果、集塵部６０のメンテナンスを要する頻度が減少されて利用者の利便性を向上させることができる。
【００５１】
〔第３実施形態〕
以下、図８及び図９を用いて、本発明の第３実施形態について説明する。なお、前述した第１実施形態と同一構成部分については、同一番号を付してその説明を省略する。      
【００５２】
これらの図に示されるように、この第３実施形態に係る集塵部７０では、集塵フィルタ部７４が一体的に形成された筒状部材７２を備える点に特徴がある。
【００５３】
具体的には、筒状部材７２は、収納室１６の給気口２８側に開口した筐体状に形成されており、その上面７６及び背面（収納室１６側に面した側面）７２Ｂが集塵フィルタ部７４として構成されている。集塵フィルタ部７４は、第１実施形態の集塵フィルタ５０の側面部と同様に、金属製の金網によって形成されている。これにより、給気口２８から取り入れられた屋内の空気の流路が、筒状部材７２（集塵部７０）の上面７６及び背面７８を通過して収納室１６の内部に供給されるという上向きの流路となる構成になっている。
【００５４】
また、上記構成の筒状部材７２は、給気口２８に固定される一端が角筒状に形成された固定部８０とされ、当該固定部８０よりも収納室１６側の部位が、収納室の奥側に向かって先細りした導入部８２とされている。また、上記固定部８０の幅方向の両側面部８０Ａは、当該両側面部８０Ａから幅方向外側に突出した凸部８４を用いて給気口２８に固定されている。
【００５５】
具体的には、給気口２８の幅方向両側部には、左右一対の縦壁部８６が設けられている。この一対の縦壁部８６において、互いに対向して配置される端部８６Ａには、建物高さ方向に延在するレール状の切欠き部８８が形成されている。上述した固定部８０の凸部８４は、この切欠き部８８に対応しており、切欠き部８８の内側で凸部８４を挿入することにより、縦壁部８６を介して、給気口２８に筒状部材７２を固定することができる構成となっている。また、筒状部材７２のメンテナンスの際には、筒状部材７２を切欠き部８８に沿って引き上げることで給気口２８から取り外すことができる構成となっている。
【００５６】
（作用・効果）
本実施形態では、集塵部７０の筒状部材７２が筐体状に形成され、その下面を除く上面７６及び背面７８に集塵フィルタ部７４が配置されている。このため、給気口２８から取り入れられた廊下１４内の空気の流路は、筒状部材７２の上面７６及び背面７８を通過して収納室１６に供給されるという上向きの流路となる。これにより、筒状部材７２の内部に集められた埃が下面側に落ちて筒状部材７２の入口（固定部８０近傍）を塞ぐといった事態を抑制することができる。その結果、廊下１４の床に溜まった埃を筒状部材７２の奥側に配置された背面７８及び上面７６に効率的に集めることができ、更に、収納室１６の外側から埃が視認されることを効果的に抑制することができる。
【００５７】
[補足説明] 
上記第１実施形態及び第２実施形態では、収納室１６の給気口２８と集塵フィルタ５０、６２との間に筒状部材４４を配置する構成としたが、本発明はこれに限らない。筒状部材４４を有しない構成とし、給気口２８に直接集塵フィルタ５０、６２を装着する構成でもよい。
【００５８】
また、上記第１実施形態及び第２実施形態では、集塵フィルタ５０を筐体状に形成したが、本発明はこれに限らない。例えば、板状に形成された金属製の金網からなる集塵フィルタを適用してもよい。
【００５９】
また、上記第１実施形態及び第２実施形態では、筒状部材４４が給気口２８側から収納室１６の奥側に向かって平面視で先細りした形状としたが、本発明はこれに限らない。例えば、筒状部材４４全体を角筒状に形成してもよい。また、筒状部材４４から固定部４６を省略した形状とし、平面視で略台形状に形成してもよい。
【００６０】
また、上記各実施形態では、収納室１６が建物１０の一階部分１０Ａに設けられる構成としたが、これに限らず建物の二階部分に設ける構成としてもよい。この場合において、接続チャンバを空調装置の上面に接続して、二階の天井裏空間に分岐チャンバや供給ダクトを配策する構成としてもよい。
【符号の説明】
【００６１】
１０    建物
１６    収納室
２４    開閉扉
２６    床（床面）
２８    給気口
３０    空調装置
３２    吸込口
３４    吹出口
４２    集塵部
４４    筒状部材
４８    導入部
５０    集塵フィルタ
６０    集塵部
６２    集塵フィルタ
７０    集塵部
７２    筒状部材
７４    集塵フィルタ部（集塵フィルタ）
【図１】
2020159650.tif 000003
【図２】
2020159650.tif 000004
【図３】
2020159650.tif 000005
【図４】
2020159650.tif 000006
【図５】
2020159650.tif 000007
【図６】
2020159650.tif 000008
【図７】
2020159650.tif 000009
【図８】
2020159650.tif 000010
【図９】
2020159650.tif 000011